(57)【要約】【課題】  吸収性能を大幅に低下させることなく消臭作用や抗菌作用を付与することができる吸収性物品を提供する。【解決手段】  セカンドシート７の基材としてエアスルーを使用し、このエアスルーの吸収体４側に位置する吸収体側面７１に塗工液をグラビアコートにより１ｇ／ｍ２塗工して１００℃で乾燥させてセカンドシート７を製造した後、失禁パッド１を製造した。そして塗工液は、銀イオンを担持したゼオライト（粒径１０μｍ）１００重量部に対してポリビニルアルコールが２．５重量部配合されたものを使用した。【選択図】    図１
2005095420.tif 000002
【特許請求の範囲】
【請求項１】
透液性の上層シートと、下層シートと、両シートの間に介在する吸収体とを備えた吸収性物品において、
前記上層シートには、抗菌性の無機成分または消臭性の無機成分の少なくとも一方から成る無機成分にバインダーが配合された塗工液が塗工され、この塗工液は前記無機成分１００重量部に対して前記バインダーの配合量Ｎが以下の範囲
０重量部＜Ｎ＜５重量部
に設定されたことを特徴とする吸収性物品。
【発明の詳細な説明】
【技術分野】
【０００１】
本発明は、紙おむつやナプキン等の吸収性物品に関する。
【背景技術】
【０００２】
従来、身体に装着して尿等の体液を吸収する吸収性物品は、着用側（上側）の上層シートと、非着用側（下側）の下層シートと、両シートの間に介在する吸収体とを備えている。上層シートは着用者の肌にあたる装着面を有するトップシートと、トップシートの下側に配置されたセカンドシートとを備えており、両シートは着用者の体液を通過させる透液性を有している。また下層シートは１枚又は複数枚のシートで構成されており、吸収体は着用者の体液を吸収するポリマーおよびパルプ、またはポリマーのみから構成されている。
【０００３】
そしてこのような吸収性物品の中には消臭作用や抗菌作用を付与するために消臭性の無機成分や抗菌性の無機成分が添加されたものがあり、例えば上層シートに消臭性の無機成分や抗菌性の無機成分を含んだ塗工液が塗工されているものが知られている。
【発明の開示】
【発明が解決しようとする課題】
【０００４】
しかしながら、消臭性の無機成分や抗菌性の無機成分を含んだ塗工液にはバインダーも含まれているため、着用者の体液が上層シートを通過する際にバインダーの量によっては吸収性能が大幅に低下してしまう問題があった。
【０００５】
本発明は、かかる従来の課題に鑑みてなされたものであり、吸収性能を大幅に低下させることなく消臭作用や抗菌作用を付与することができる吸収性物品を提供することを目的とする。
【課題を解決するための手段】
【０００６】
前記課題を解決するために本発明の請求項１記載の吸収性物品においては、透液性の上層シートと、下層シートと、両シートの間に介在する吸収体とを備えた吸収性物品において、前記上層シートには、抗菌性の無機成分または消臭性の無機成分の少なくとも一方から成る無機成分にバインダーが配合された塗工液が塗工され、この塗工液は前記無機成分１００重量部に対して前記バインダーの配合量Ｎが０重量部＜Ｎ＜５重量部の範囲に設定されたものとしている。
【０００７】
本発明の上層シートは、着用者の肌にあたる装着面を有するトップシートと、トップシートの下側に配置されるセカンドシートとを備えたものであり、塗工範囲は特に限定されない。またこれらのシートの基材としてはエアスルー、スパンボンド、メルトブロー、スパンレース、エアレイド等の不織布が使用される。
【０００８】
抗菌性の無機成分としては銀イオン、銅イオン、亜鉛イオン等の無機イオンが使用され、消臭性の無機成分としてはゼオライト、シリカゲル、活性炭等が使用される。また抗菌性の無機成分と消臭性の無機成分を混合した無機成分としては前記消臭剤に前記無機イオンを担持させたものが使用される。またこれらの無機成分の粒径は１〜５０μｍが好ましい。
【０００９】
バインダーとしては、ポリビニルアルコール（ＰＶＡ）、エチルビニルアルコール（ＥＶＡ）、アクリル系樹脂等が使用される。また塗工液には、この他にアニオン系界面活性剤を入れることにより体液の通過がバインダーで阻害されるのを防ぐこともできる。
【００１０】
塗工方法としては、グラビアコート、バーコート、ブレードコート、エアブレードコート、スプレーコート等が使用される。また透液性保持のために、フレキソ、ドット塗工等を使用することができる。塗工量は０．１〜１ｇ／ｍ２の範囲が好ましい。また乾燥温度は５０〜２００℃に設定して行う。
【発明の効果】
【００１１】
本発明の請求項１記載の吸収性物品においては、バインダー量を最小限に抑えることにより、体液の通過がバインダーで大幅に阻害されることがなくなるため、吸収体に体液を十分吸収させることができる。よって、吸収性能の大幅な低下を抑えながら消臭作用や抗菌作用を付与することができる。
【発明を実施するための最良の形態】
【００１２】
本発明をより詳細に説明するために、以下添付図面に従ってこれを説明する。
【００１３】
図１は、本発明の実施の形態を示す失禁パッド１の分解模式縦断面図である。この失禁パッド１は、着用側（上側）の上層シート２と、非着用側（下側）の下層シート３と、両シート２、３の間に介在する吸収体４と、吸収体４を覆う被覆材５とを備えている。
【００１４】
上層シート２は、着用者の肌にあたる装着面６１を有するトップシート６と、トップシート６の下側に配置されたセカンドシート７とを備えている。また両シート６、７は不織布から構成されており、着用者の体液を通過させる透液性を有している。
【００１５】
下層シート３は、１枚又は複数枚のシートで構成されており、ポリエチレン等の着用者の体液を通過させない不透液性フィルムや、不透液性フィルムと不織布あるいは織布を貼り合わせた透液性の素材や、通気性また非通気性の素材が使用されている。
【００１６】
吸収体４は、着用者の体液を吸収するポリマーおよびパルプ、またはポリマーから構成されている。また被覆材５はクレープ紙または不織布から構成されており、着用者の体液を通過させる透液性を有している。
【００１７】
以下この失禁パッド１に基づいて実施例により本発明をさらに詳しく説明するが、本発明の範囲はかかる実施例に限定されるものではない。
【００１８】
実施例
セカンドシート７の基材としてエアスルーを使用し、このエアスルーの吸収体４側に位置する吸収体側面７１に塗工液をグラビアコートにより１ｇ／ｍ２塗工して１００℃で乾燥させてセカンドシート７を製造した後、失禁パッド１を製造した。塗工液の組成は以下に示す通りである。
銀イオンを担持したゼオライト（粒径１０μｍ）  ：１００重量部
ポリビニルアルコール                          ：２．５重量部
【００１９】
比較例
実施例と同様に、セカンドシート７の基材としてエアスルーを使用し、このエアスルーの吸収体４側に位置する吸収体側面７１に塗工液をグラビアコートにより１ｇ／ｍ２塗工して１００℃で乾燥させてセカンドシート７を製造した後、失禁パッド１を製造した。塗工液の組成は以下に示す通りである。
銀イオンを担持したゼオライト（粒径１０μｍ）  ：１００重量部
ポリビニルアルコール                          ：    ５重量部
【００２０】
またブランクとして何も塗工せずに失禁パッド１を製造した。
【００２１】
各失禁パッド１の吸収性能の測定は、表面液流れ測定法と、繰り返しポイント吸収測定法（浸水度）とにより行った。
【００２２】
表面液流れ測定法は、サンプルをＭＤ方向に切り取り、４５度の傾斜を有する傾斜部材の傾斜面に濾紙を１０枚重ねて貼り付け、その上にサンプルを肌にあたる方を上にして貼り付ける。そして高さ１０ｍｍより１０ｍｌピペットで着色した人工尿を目印をつけた箇所に１滴落とし、表面上のＭＤ方向に液滴が流れた長さを測定した。
【００２３】
また繰り返しポイント吸収測定法は、濾紙を８枚重ねた上にサンプルを肌に当たる方を上にして置き、その上に１０点法測定板を置く。そして１０点測定版の各穴に着色した人工尿を１滴落とし、２秒以内に吸収する数を数え、これを３分おきに３回繰り返して測定した。
【００２４】
なお人工尿の組成は、尿素２ｇ、塩化ナトリウム０．８０ｇ、塩化カルシウム２水和物０．０８ｇ、硫酸マグネシウム２水和物０．０３ｇ、イオン交換水９７．０９ｇとした。
【００２５】
実施例、比較例、ブランクの測定結果を表１に示す。各表における評価は、○は良、×は不良である。
【表１】
2005095420.tif 000003
【００２６】
この表１において、実施例ではブランクに対して吸収性能の大幅な低下がみられなかったが、比較例では実施例よりもブランクに対して吸収性能の大幅な低下がみられた。このように本実施例においては、塗工液の組成として銀イオンを担持したゼオライト１００重量部に対してポリビニルアルコールの配合量Ｎを０重量部＜Ｎ＜５重量部の範囲にある２．５重量部に設定することにより、セカンドシート７おける体液の通過がポリビニルアルコールで大幅に阻害されることがなくなるため、吸収体４に体液を十分吸収させることができる。よって、吸収性能の大幅な低下を抑えながら消臭作用および抗菌作用を付与することができる。
【図面の簡単な説明】
【００２７】
【図１】本発明の実施の形態を示す失禁パッドの模式分解縦断面図である。
【符号の説明】
【００２８】
１    失禁パッド
２    上層シート
３    下層シート
４    吸収体
７    セカンドシート
【図１】
2005095420.tif 000004